(57)【要約】【課題】本発明は、回路基板に安定して取り付けられ、良好な防水効果が得られる電気コネクタを提供することを目的とする。【解決手段】本発明の電気コネクタは、収納孔を有する金属シェルと、絶縁性本体と、前記絶縁性本体に固着される複数の端子と、前記金属シェルを被覆する絶縁性シェルと、固定部材と、を備える。前記絶縁性本体は、前記金属シェルに固着される基部と、前記基部から前向きに延在し、前記金属シェルの収納孔内に配設される舌板と、を有する。各端子は、前記舌板に露出される接触部と、前記絶縁性本体から延出する半田接続部と、を有する。前記固定部材は、前記絶縁性シェルの底部に取り付けられる固定片と、前記固定片から延出する複数の半田接続片と、を有する。【選択図】図４
2013143378.tif 000002
【特許請求の範囲】
【請求項１】
収納孔を有する金属シェルと、
前記金属シェルに固着される基部と、前記基部から前向きに延在し、前記金属シェルの収納孔内に配設される舌板と、を有する絶縁性本体と、
前記絶縁性本体に固着され、前記舌板に露出される接触部と、前記絶縁性本体から延出する半田接続部と、を有する複数の端子と、
前記金属シェルを被覆する絶縁性シェルと、
前記絶縁性シェルの底部に取り付けられる固定片と、前記固定片から延出する複数の半田接続片と、を有する固定部材と、
を備えることを特徴とする電気コネクタ。
【請求項２】
前記固定片には、前記絶縁性シェルに向きに延在し、前記絶縁性シェルに挿入される複数の挿入片が設けられることを特徴とする請求項１に記載の電気コネクタ。
【請求項３】
前記固定部材の複数の半田接続片のうちの一つの半田接続片が、前記複数の挿入片のうちの二つの挿入片の間に配設され、前記半田接続片が沿う仮想平面と前記挿入片が沿う仮想平面とが直交することを特徴とする請求項２に記載の電気コネクタ。
【請求項４】
前記固定片には、前記固定片と直交し、前記絶縁性シェルから離れる複数の固定脚が設けられることを特徴とする請求項１から３のうちの何れか一項に記載の電気コネクタ。
【請求項５】
前記絶縁性シェルには、一対の実装部が設けられ、前記固定片には、前記一対の実装部に対応する一対の実装孔が形成され、前記複数の固定脚のそれぞれが、前記対応する実装孔の側辺から突出するように打ち抜き加工により形成されることを特徴とする請求項４に記載の電気コネクタ。
【請求項６】
前記絶縁性シェルの外側には収納リングが形成され、前記電気コネクタは、前記収納リングに収納されるシールガスケットを備えることを特徴とする請求項１から５のうちの何れか一項に記載の電気コネクタ。
【請求項７】
前記シールガスケットに係止部が設けられ、前記絶縁性シェルに前リングと後リングとが設けられ、前記収納リングが前記前リングと後リングの間に形成され、前記前リング又は後リングに前記係止部と係止する係止溝が形成されることを特徴とする請求項６に記載の電気コネクタ。
【請求項８】
前記電気コネクタの後端には、前記絶縁性シェルの収納スペースの周縁と接合し、防水するためのシール片材が配置されることを特徴とする請求項１から７のうちの何れか一項に記載の電気コネクタ。
【請求項９】
前記電気コネクタは、金属材料を打ち抜き加工することにより作製される補強片を備え、前記補強片が、前記絶縁性本体の舌板に接合される主体部と、前記絶縁性本体の基部に接合される固定部と、を備えることを特徴とする請求項１から８のうちの何れか一項に記載の電気コネクタ。
【発明の詳細な説明】
【技術分野】
【０００１】
本発明は、電気コネクタに関し、特に、通信設備と外部設備の間で信号を伝送するための電気コネクタに関するものである。
【背景技術】
【０００２】
従来の電気コネクタは、絶縁性本体と、絶縁性本体に収納される複数の端子と、絶縁性本体を覆う金属シェルと、を備える。前記絶縁性本体は、基部と、前記基部から前向きに突出する被覆部と、を有する。前記被覆部は、前端面と、前記前端面から内側へ窪んだ収納孔と、を有する。前記端子は、接触部と、回路基板に半田接続される半田接続部と、を有する。前記被覆部には、シールガスケットが配置される。前記シールガスケットによって、防水効果が得られる。
【先行技術文献】
【特許文献】
【０００３】
【特許文献１】台湾実用新案第Ｍ４１１０３３号明細書
【発明の概要】
【発明が解決しようとする課題】
【０００４】
従来技術の電気コネクタでは、端子の半田接続部が回路基板に半田接続されることによって回路基板に固着されるが、この電気コネクタが、回路基板に安定して取り付けることができないという問題がある。又、シールガスケットが絶縁性本体から容易に外れるので、良好な防水効果が得られない場合がある。
【０００５】
そこで本発明の目的は、回路基板に安定して取り付けることができ、且つ、良好な防水効果が得られる電気コネクタを提供することにある。
【課題を解決するための手段】
【０００６】
前記目的を達成するために、本発明の電気コネクタは、収納孔を有する金属シェルと、絶縁性本体と、前記絶縁性本体に固着される複数の端子と、前記金属シェルを被覆する絶縁性シェルと、固定部材と、を備える。前記絶縁性本体は、前記金属シェルに固着される基部と、前記基部から前向きに延在し、前記金属シェルの収納孔内に配設される舌板と、を有する。各端子は、前記舌板に露出される接触部と、前記絶縁性本体から延出する半田接続部と、を有する。前記固定部材は、前記絶縁性シェルの底部に取り付けられる固定片と、前記固定片から延出する複数の半田接続片と、を有する。
【発明の効果】
【０００７】
本発明に係る電気コネクタによれば、固定部材により、従来の技術に比べて当該電気コネクタを回路基板に安定して取り付けることができる。
【図面の簡単な説明】
【０００８】
【図１】本発明の電気コネクタの組立斜視図である。
【図２】図１に示す電気コネクタの分解斜視図である。
【図３】図２に示す電気コネクタの別の角度から見た分解斜視図である。
【図４】図３に示す電気コネクタの部分の分解斜視図である。
【図５】図１に示す電気コネクタの別の角度から見た組立斜視図である。
【発明を実施するための形態】
【０００９】
図１〜図５に示すように、本発明の電気コネクタ１００は、絶縁性本体２と、前記絶縁性本体２を被覆する金属シェル１と、前記絶縁性本体２内に固着される複数の端子３と、前記絶縁性本体２に固着される補強片４と、前記金属シェル１を被覆する絶縁性シェル５と、前記絶縁性シェル５に固着される固定部材６と、前記絶縁性シェル５の前方部に固着された防水用のシールガスケット７と、前記絶縁性シェル５の後端に固着された防水用のシール片材８と、を備える。
【００１０】
図２〜図４に示すように、絶縁性本体２は、基部２１と、前記基部２１から前方（電気コネクタの末端側）に向かって突出する舌板２２とを有する。前記基部２１は、上表面２１１と、下表面２１２と、一対の側面２１３と、前端面２１４と、後端面２１５と、を含む。前記絶縁性本体２の上表面２１１には、一対の窪み２１１０が前記舌板２２の両側に対称に形成される。前記下表面２１２には、一対の係合溝２１２０が形成される。前記下表面２１２には、前後方向に沿って延在し、前記金属シェル１の内表面と係合するための複数のリブ２１２１が設けられる。各側面２１３には、凹所２１３０が形成される。他の実施形態において、前記複数のリブ２１２１が、基部２１の上表面２１１或いは側面２１３に設けられていてもよい。
【００１１】
前記複数の端子３は、インサートモールドによって前記絶縁性本体２と一体に設けられる。各端子３は、前記舌板２２の表面に露出される接触部３１と、前記絶縁性本体２の後端面２１５から延出し、図示せぬ回路基板に半田接続され得る半田接続部３２と、を有する。
【００１２】
金属シェル１は、平行する上壁１１及び下壁１２と、一対の側壁１３と、を備えており、前記上壁１１、下壁１２及び側壁１３によって囲繞される収納孔１４を有する。各側壁１３の後端には、後向きに延在して先端（後端部）が下向きに折れ曲がっている固定脚１３１が設けられる。前記上壁１１には、相手コネクタ（図示せず）の係合部と係合するための一対の係合孔１１０が形成される。また、前記上壁１１には、各係合孔１１０の前端に位置し、金属シェル１の外側へ向かって（上向きに）突出する突出部片１１１が設けられる。また、前記上壁１１には、前記係合孔１１０の後方に位置し、金属シェル１の内側へ向かって（前記収納孔１４側に）突出する一対の当接部１１２が設けられる。前記上壁１１の後端の中間には、金属シェル１の外側へ向かって（上向きに）突出する突出部１１３が設けられる。前記下壁１２の後端の中央には、金属シェル１の内側へ向かって（前記収納孔１４側に）突出する一対の弾性ビーム１２１が設けられる。
【００１３】
前記補強片４は、金属材料を打ち抜き加工して作製される部品であり、インサートモールドによって前記絶縁性本体２と一体に設けられる。前記補強片４は、前記舌板２２に接合される主体部４１と、前記主体部４１の後端から横方向に向かって直角に折れ曲がっており、前記基部２１に接合される一対の固定部４２と、を備える。各固定部４２の末端には、直角に折り曲がられる位置決め部４２１が設けられる。
【００１４】
絶縁性シェル５は、前記収納スペース５０を包囲する天壁５１と、底壁５２と、一対の連接壁５３とを備えており、これら天壁５１、底壁５２及び一対の連接壁５３によって囲繞される、前記金属シェル１を収納するための収納スペース５０を有する。前記絶縁性シェル５の外表面には、絶縁性シェル５の外側へ突出する前リング５１１及び後リング５１２が設けられる。前記前リング５１１と後リング５１２との間には、前記シールガスケット７を収納するための収納リング５１３が形成される。前記後リング５１２には、係止溝５１２０が形成される。天壁５１の内表面には、前記金属シェル１の突出部片１１１に対応する収納溝５１５と、突出部１１３に対応する凹口５１４と、が設けられる。前記底壁５２の内表面には、前記金属シェル１と係合する複数のリブ５２１が設けられる。他の実施形態において、前記複数のリブ５２１が、天壁５１或いは連接壁５３に設けられていてもよい。前記底壁５２の外表面には、一対の実装部５２２が設けられる。他の実施形態において、係止溝５１２０が、前リング５１１に形成されていてもよい。その場合、後述する係止部７２が前向きに延在する。
【００１５】
前記固定部材６は、金属片を打ち抜き加工することにより作製される部品であり、前記絶縁性シェル５の底壁５２の外表面に接合される。前記固定部材６は、片状の固定片６１と、前記固定片６１の側辺から上向きに折れ曲がっている二対の挿入片６２と、前記固定片６１の側辺から横方向に延出する一対の半田接続片６３と、を有する。各半田接続片６３は、一対の前記挿入片６２の間に配設される。前記半田接続片６３が沿う仮想平面と前記挿入片６２が沿う仮想平面とは直交する。前記固定片６１の内側領域には、一対の実装孔６５が形成される。前記固定部材６には、各実装孔６５の側辺から下向きに突出する固定脚６４が打ち抜き加工により形成される。
【００１６】
前記シールドガスケット７は、絶縁性材料によって製造される。前記シールドガスケット７には、外へ突出する突出リング７１が設けられる。前記突出リング７１には、後向きに延在し、前記絶縁性シェル５の係止溝５１２０と係止する係止部７２が設けられる。
【００１７】
前記シール片８は、両側に形成される一対の固定孔８１と、中央に形成される複数の端子孔８２と、を備える。
【００１８】
図１〜図５を参照すると、電気コネクタ１００を組み立てる時、前記複数の端子３はインサートモールドによって前記絶縁性本体２に固着される。前記端子３の接触部３１が、舌板２２の表面に露出される。また、前記補強片４が、前記絶縁性本体２に装着される。前記補強片４の主体部４１が、前記絶縁性本体２の舌板２２に取り付けられ、位置決め部４２１が絶縁性本体２の凹所２１３０に嵌められる。図３に示すように、前記位置決め部４２１の寸法が前記凹所２１３０の寸法より小さく、前記位置決め部４２１は金属シェル１の側壁１３と接触しない。
【００１９】
絶縁性本体２は前記金属シェル１の収納孔１４に収納される。前記金属シェル１の当接部１１２が絶縁性本体２の窪み２１１０に嵌合して当接する。弾性ビーム１２１が係合溝２１２０に嵌合して当接する。前記金属シェル１は、前記絶縁性シェル５の収納スペース５０に収納される。金属シェル１の突出部片１１１は、絶縁性シェル５の収納溝５１５に当接する。突出部１１３は、凹口５１４に収納される。金属シェル１は、絶縁性シェル５に位置決めされる。固定部材６は、絶縁性シェル５の底壁５２に取り付けられる。絶縁性シェル５の実装部５２２が、固定部材６の実装孔６５に実装（嵌合）される。挿入片６２が絶縁性シェル５の底壁５２に嵌合される。シールガスケット７が絶縁性シェル５の収納リング５１３に収納される。係止部７２が係止溝５１２０と係止する。前記シール片８は、絶縁性本体２の後端面２１５に取り付けられ、前記絶縁性シェル５の収納スペース５０の周縁と接合する。一対の固定脚１３１は、前記一対の固定孔８１に嵌合する。前記複数の端子２は、前記端子孔８２に挿通される。
【００２０】
前記固定部材６によって、前記電気コネクタ１００が前記回路基板に安定して取り付けることができる。前記絶縁性シェル５と、シールガスケット７とシール片材８によって、良好な防水効果が得られる。
【００２１】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２２】
１００  電気コネクタ
１  金属シェル
１１  上壁
１１０  係合孔
１１１  突出部片
１１２  当接部
１１３  突出部
１２  下壁
１２１  弾性ビーム
１３  側壁
１３１  固定脚
１４  収納孔
２  絶縁性本体
２１  基部
２１１  上表面
２１１０  窪み
２１２  下表面
２１２１  リブ
２１２０  係合溝
２１３  側面
２１３０  凹所
２１４  前端面
２１５  後端面
２２  舌板
３  端子
３１  接触部
３２  半田接続部
４  補強片
４１  主体部
４２  固定部
４２１  位置決め部
５  絶縁性シェル
５０  収納スペース
５１  天壁
５１１  前リング
５１２  後リング
５１２０  係止溝
５１３  収納リング
５１４  凹口
５１５  収納溝
５２  底壁
５２１  リブ
５２２  実装部
５３  連接壁
６  固定部材
６１  固定片
６２  挿入片
６３  半田接続片
６４  固定脚
６５  実装孔
７  シールガスケット
７１  突出リング
７２  係止部
８  シール片
８１  固定孔
８２  端子孔
【図１】
2013143378.tif 000003
【図２】
2013143378.tif 000004
【図３】
2013143378.tif 000005
【図４】
2013143378.tif 000006
【図５】
2013143378.tif 000007